(57)【特許請求の範囲】
【請求項１】
制御基板収納部と封止部とを有する２つのケース部材を、前記制御基板収納部が制御基板を収納する収納空間を形成するように組み合わせたとき、前記各封止部の間に挿抜空間が形成されるように前記各封止部を対向させて配置することにより前記各封止部によって形成された封止基礎部と、
前記挿抜空間に挿抜可能な切断部材と、
前記封止部に設けた溝部であって、前記封止基礎部の外側面に設定されたシールの添付予定範囲を通って、前記切断部材が前記挿抜空間に対して挿抜される挿抜方向に沿って形成された複数の溝部と、
前記切断部材に設けられた破断部であって、前記切断部材が前記挿抜空間に対して挿抜されるとき前記各溝部を通過し、前記添付予定範囲に添付されたシールを傷つける複数の破断部と、
前記封止基礎部に被せて取り付けられる外装部であって、前記封止基礎部に被せられたとき前記挿抜空間に位置する前記切断部材と係合する外装部と、
を備え、
前記切断部材に設けられた破断部のうち、一方の前記封止部側の前記切断部材の面に設けられた前記破断部の数と、他方の前記封止部側の前記切断部材の面に設けられた前記破断部の数とが異なることを特徴とする基板ケースの封止構造。
【発明の詳細な説明】
【技術分野】
【０００１】
本発明は、遊技機の制御基板を収納する基板ケースの封止構造に関する。
【背景技術】
【０００２】
遊技機の制御基板を収納する基板ケースは、制御基板収納部と封止部とを有するケース部材を２つ組み合わせて構成されている。
制御基板は、これらケース部材の制御基板収納部を組み合わせて形成される収納空間内に収納される。
【０００３】
また、この基板ケースは、収納空間が形成されるように制御基板収納部を組み合わせると、２つの封止部によって、この収納空間内に制御基板を封印するために用いられる封止基礎部が、組み合わされた制御基板収納部の端に形成される。
【０００４】
このとき２つの封止部は、それらの間に挿抜空間が形成されるように所定距離をあけて配置され、この挿抜空間には切断部材が配置される。
また、この封止基礎部には封印シールが貼られるが、封止部には、この封印シールが貼られる添付予定領域を通るように、溝部が形成されている。
【０００５】
そして、切断部材には、挿抜空間に挿抜されるときにこの溝部を通過し、添付予定領域に添付された封印シールを傷つける破断部が設けられている。
この基板ケースに対する封印は、切断部材を挿抜空間に挿入し、この切断部材が挿入された封止基礎部を構成する一対の封止部を跨いで封印シールを張り、この封印シールが貼られた封止基礎部に透明な材料で形成されたキャップを被せることによって行われる。
【０００６】
このキャップには内部に突起が設けられており、このキャップを封止基礎部に被せると、その突起が挿抜空間に配置された切断部材と係合する。
そのため、この基板ケースでは、封印を解こうとして封止基礎部からキャップを外すと、切断部材も挿抜空間から抜き出され、切断部材が封止部を跨って貼られた封印シールを切断するとともに、破断部が溝部を通過することによって封印シールを破損させるので、これら切断跡や破損跡の有無を確認すれば、不正に基板ケースが開けられる不正行為が行われたか確認することができる（例えば、特許文献１参照）。
【先行技術文献】
【特許文献】
【０００７】
【特許文献１】特開２０１０−１６７１２４号公報
【発明の概要】
【発明が解決しようとする課題】
【０００８】
ところで、不正行為の中には、切断部材を封止基礎部からすべて引き抜かなくても、途中まで引き抜けば行える不正行為が存在する可能性がある。
その場合、切断部材が挿抜空間から抜き取られる前に破断部が位置する位置と、シール添付部に貼られた封印シールとの距離が遠いと、封印シールに傷がつかないことも考えられる。
【０００９】
本発明では、不正行為を確実に発見することで、不正行為を確実に防止することができる基板ケースの封止構造を提供することを目的とする。
【課題を解決するための手段】
【００１０】
請求項１に記載した基板ケース(１)の封止構造に係る発明は、
制御基板収納部(４１，４６)と封止部とを有する２つのケース部材(４０，４５)を、前記制御基板収納部が制御基板を収納する収納空間を形成するように組み合わせたとき、前記各封止部の間に挿抜空間（５ａ）が形成されるように前記各封止部を対向させて配置することにより前記各封止部によって形成された封止基礎部(５)と、
前記挿抜空間に挿抜可能な切断部材(６)と、
前記封止部に設けた溝部であって、前記封止基礎部の外側面に設定されたシールの添付予定範囲（５ｂ）を通って、前記切断部材が前記挿抜空間に対して挿抜される挿抜方向に沿って形成された複数の溝部（５１２、５６２）と、
前記切断部材に設けられた破断部であって、前記切断部材が前記挿抜空間に対して挿抜されるとき前記各溝部を通過し、前記添付予定範囲に添付されたシール（７）を傷つける複数の破断部（６２１，６３１）と、
前記封止基礎部に被せて取り付けられる外装部であって、前記封止基礎部に被せられたとき前記挿抜空間に位置する前記切断部材と係合する外装部（８）と、
を備え、
前記切断部材に設けられた破断部のうち、一方の前記封止部側の前記切断部材の面に設けられた前記破断部の数と、他方の前記封止部側の前記切断部材の面に設けられた前記破断部の数とが異なることを特徴とする。
【発明の効果】
【００１４】
本発明では、不正行為を確実に発見することで、不正行為を確実に防止することができる。
【図面の簡単な説明】
【００１５】
【図１】本実施形態の基板ケースが取り付けられる遊技機の斜視図であり、遊技機の外枠に対して、内枠と遊技盤ユニットが開いた状態を示している。
【図２】遊技盤ユニットを裏面側からみた正面図である。
【図３】遊技盤ユニットを裏面側からみた分解斜視図である。
【図４】組立体の（ａ）裏面側斜視図、（ｂ）裏面側からみた正面図、（ｃ）側面図である。尚、（ｃ）側面図は、挿抜方向に沿った方向であって、（ａ）中の矢印イの方向にみた図である。
【図５】組立体の裏面側分解斜視図である。
【図６】組立体を組み立てる様子を示す斜視図で、台座に基板ケースを組み付ける様子を示しており、挿抜方向に沿った方向であって、図４中の矢印ロの方向にみた斜視図である。
【図７】本実施形態の基板ケースの（ａ）裏面側斜視図、（ｂ）裏面側からみた正面図、（ｃ）側面図である。尚、（ｃ）側面図は、（ａ）中の矢印ニの方向にみた図である。
【図８】本実施形態の基板ケースの表面側からみた分解斜視図である。
【図９】ケース部材を組み合わせた封止体を（ａ）裏面側からみた正面図、（ｂ）（ａ）の背面図である。
【図１０】封止体の側面図であり、（ａ）は切断部材が組み込まれる前の図面であり、（ｂ）は切断部材が組み込まれた後の図面である。図９（ａ）の矢印ホの方向にみた図である。
【図１１】添付予定範囲について説明する説明図で、封止基礎部の（ａ）正面図、（ｂ）背面図、（ｃ）側面図である。
【図１２】添付予定範囲に封印シールを貼り付けた様子を示す説明図で、封止基礎部の（ａ）正面図、（ｂ）背面図、（ｃ）側面図である。
【図１３】封印シールの平面図である。
【図１４】切断部材の（ａ）表側斜視図、（ｂ）裏側斜視図である。
【図１５】切断部材の（ａ）表面図、（ｂ）裏面図、（ｃ）側面図である。
【図１６】切断部材を封止基礎部の挿抜空間に挿入する様子を説明するための斜視図で、一方の封止部を取り外した状態を示す斜視図である。（ａ）は取付前（ｂ）は取付中（ｃ）は取付完了時の図である。
【図１７】キャップの（ａ）裏面斜視図、（ｂ）表面斜視図、（ｃ）側面図である。
【図１８】基板ケースの封止と、キャップの着脱について説明するための説明図で、（ａ）は、封止基礎部５に対して切断部材、封印シール、キャップのいずれも取り付けていない様子を示しており、（ｂ）は切断部材を取り付けた様子を示しており、（ｃ）は封印シールを添付した様子を示しており、（ｄ）はキャップを取り付けた様子を示しており、（ｅ）は切断部材及びキャップを取り外した様子を示している。尚、説明簡単のため、キャップについては、キャップを構成する箱部について、裏面側の側面を取り払ったものを示している。また、基板ケースについては、外ケース部材のみを示している。
【図１９】切断部材がキャップ内でキャップに係合した様子を説明するための説明図で、遊技機の裏面側からみた正面図であって、キャップを構成する箱部について、裏面側の側面を取り払った図面である。
【図２０】封印シールを破断する様子を説明するための斜視図で、説明容易のため、切断部材と封印シールのみを示している。
【図２１】第２実施形態で使用する封印シールを封止基礎部に貼り付けた様子を示す図で、封止基礎部の（ａ）正面図、（ｂ）背面図、（ｃ）側面図である。
【図２２】封印シールを添付した封止基礎部の（ａ）正面図、（ｂ）背面図、（ｃ）正面図、（ｄ）背面図であり、（ａ）（ｂ）は切断部材が少し抜き出されたときの図であり、（ｃ）（ｄ）は切断部材が多く抜き出されたときの図である。
【図２３】封止基礎部の正面図である。
【図２４】第３実施形態の切断部材の斜視図である。
【図２５】破断部の他の形状を示す斜視図である。
【図２６】破断部の他の形状を示す斜視図である。
【図２７】破断部の他の形状を示す斜視図である。
【図２８】破断部の他の形状を示す斜視図である。
【発明を実施するための形態】
【００１６】
［第１実施形態］
以下に本発明の第１実施形態（以下、第１実施形態の説明においては、第１実施形態を本実施形態という）を図面と共に説明する。
（遊技機１）
遊技機１（パチンコ機）について説明する。
【００１７】
ここで、図１は、本実施形態の基板ケースが取り付けられる遊技機の斜視図であり、遊技機の外枠に対して、内枠と遊技盤ユニットが開いた状態を示している。図２は、遊技盤ユニットを裏面側からみた正面図である。図３は、遊技盤ユニットを裏面側からみた分解斜視図である。
【００１８】
図１に示すように、本実施形態の遊技機１は、外枠１０と、遊技盤ユニット１２と、内枠１４とを備えている。
外枠１０は、遊技場内に設置された島に直接取り付けられる。この外枠１０は上下方向が挿抜方向（以下「挿抜方向」という）より長い略長方形状に形成されている。遊技盤ユニット１２と内枠１４は、この外枠１０の一方の縦辺の近傍で外枠１０に対して回動可能に支持されている。
【００１９】
図２及び図３に示すように、遊技盤ユニット１２は、主に、ベース枠体１２１と、遊技盤１２２と、画像表示装置１２３と、図示しないランプ中継基板と、背面カバー１２４とを備えている。
【００２０】
この遊技盤ユニット１２は、ベース枠体１２１が外枠１０に対して回動可能に取り付けられることによって、外枠１０に回動可能に取り付けられており、このベース枠体１２１に遊技盤１２２、画像表示装置１２３、ランプ中継基板、背面カバー１２４などが組み付けられることによって構成されている。
【００２１】
具体的には、このベース枠体１２１の一方側の面であって、遊技者側を向く表面側に、遊技盤１２２が取り付けられ、このベース枠体１２１の他方側の面であって、島内側を向く裏面側に、画像表示装置１２３、ランプ中継基板、背面カバー１２４などが組み付けられている。
【００２２】
ベース枠体１２１及び遊技盤１２２には、画像表示装置１２３を裏面側に取り付けたとき、画像表示装置１２３が備える図示しない液晶画面が、遊技者側を向く表面側から見えるようにするため、図示しない開口部が形成されている。
【００２３】
遊技盤１２２には、遊技球が流下する遊技領域が形成されており、ベース枠体１２１に取り付けるとき、この遊技領域が表面側を向くようにベース枠体１２１に取り付けられる。
【００２４】
画像表示装置１２３は、ベース枠体１２１の裏面側に取り付けられ、ベース枠体１２１の開口部を塞ぐように配置される。また、ランプ中継基板も、ベース枠体１２１の裏面側に取り付けられる。そして、背面カバー１２４は、画像表示装置１２３やランプ中継基板を含む画像表示ユニットの裏面側の一部を覆っている。
【００２５】
また、この遊技盤ユニット１２の裏面側には、後述する組立体２が組み付けられる。この組立体２は、画像表示ユニットが背面カバー１２４で覆われる部分の下方で、ベース枠体１２１に対し組み付けられる。
【００２６】
内枠１４は、図１に示すように、ガラス板を嵌め込む嵌込空間１４１が形成されている。そのため、遊技機１を組み立てると、この嵌込空間１４１に嵌め込まれたガラス板を介して、遊技盤ユニット１２の遊技盤上に設定された遊技領域を表面側から見ることができる。
【００２７】
また、内枠１４の表面側には、操作ハンドル１４２や電飾ランプ１４３等が設けられている。
（組立体２）
次に、組立体２について説明する。
【００２８】
ここで、図４は、組立体の（ａ）裏面側斜視図、（ｂ）裏面側からみた正面図、（ｃ）側面図である。尚、（ｃ）側面図は、挿抜方向に沿った方向であって、（ａ）中の矢印イの方向にみた図である。図５は、組立体の裏面側分解斜視図であり、図６は、組立体を組み立てる様子を示す斜視図で、台座に基板ケースを組み付ける様子を示しており、挿抜方向に沿った方向であって、図４中の矢印ロの方向にみた斜視図である。
【００２９】
尚、以下の説明の中で、各方向が指し示す方向については、上述した遊技機１の説明の中で用いた各方向が指し示す方向と同じ方向を指し示すものとする。
図４及び図５に示すように、組立体２は、台座２０と、基板ケース３と、保護カバー２３とを備えている。
【００３０】
台座２０は、遊技盤ユニット１２の裏面側（図３参照）に基板ケース３を取り付けるために用いられる部品である。
この台座２０は、挿抜方向に沿った２辺が上下方向に沿った２辺より長尺な略長方形状に形成されており、下辺の左右両端近傍に一対の軸部２１を備え、上辺の挿抜方向中央に板状フック２２を備えている。軸部２１は、軸方向が挿抜方向に一致するものである。
【００３１】
基板ケース３には、これら各軸部２１に係合させる一対のフック部４９が設けられている。これらフック部４９は、基板ケース３を構成する２つのケース部材４０，４５のうち、外ケース部材４５の下辺に設けられている。これらフック部４９は、表面側に向かって凸なＵ字状に形成されている。
【００３２】
この基板ケース３の台座２０への取付方法について、図６を用いて説明する。
基板ケース３を台座２０に取り付けるときは、フック部４９が上方を向くように基板ケース３を回転し、フック部４９が裏面側に向かって凸となる状態に配置する。するとフック部４９が軸部２１が係合可能な状態となるので、基板ケース３を台座２０に近づけて、各フック部４９を各軸部２１に係合させる。
【００３３】
そして、フック部４９が軸部２１に係合したら、基板ケース３を軸部２１回りに回転させ（図６中の符号ハの矢印の方向）、基板ケース３を台座２０に重ね合わせる。図４に示すように、このとき、台座２０の上辺に備えられている板状フック２２が基板ケース３の上辺に設けられた窪み３ａに引っ掛かる。そのため、基板ケース３は、フック部４９と軸部２１との係合と、板状フック２２と基板ケース３との係合とにより、台座２０に確実に固定される。
【００３４】
図４，５に示すように、その後、保護カバー２３を基板ケース３に取り付ける。この保護カバー２３は、フック部４９を含む基板ケース３の下部部分を覆う。
このようにして組立体２は組みたてられるとともに遊技盤ユニット１２の裏面に添設される。
（基板ケース３）
次に、基板ケース３について説明する。
【００３５】
ここで、図７は、本実施形態の基板ケースの（ａ）裏面側斜視図、（ｂ）裏面側からみた正面図、（ｃ）側面図である。尚、（ｃ）側面図は、（ａ）中の矢印ニの方向にみた図である。図８は、本実施形態の基板ケースの表面側からみた分解斜視図である。
【００３６】
図７に示すように、この基板ケース３は、透明なプラスチックで形成され、ＲＯＭ等の電子部品が実装された制御基板Ｓ（図５参照）を内部に収容可能な箱形のケースである。
図８に示すように、この基板ケース３は、前後二つのケース部材４０，４５と、封印シール７を切断する切断部材６と、キャップ８とを備えている。
【００３７】
各ケース部材４０，４５は、制御基板を収納する制御基板収納部４１，４６と、後述する封止基礎部５を構成する封止部５１，５６とを備えている。
このうち制御基板収納部４１，４６は、略長方形状に形成された板面部４２，４７と、これら板面部４２，４７の周囲縁部から突設され、各板面部４２，４７の一方側の面を囲うフランジ部４３，４８とを有する形状に形成されている。
【００３８】
また、制御基板収納部４１のフランジ部４３のうち、板面部４２の長尺な２辺に沿って板面部４２から突設されている部分（以下「雄部」という）には、Ｌ字状に形成された引掛溝４３０がそれぞれ３つずつ形成されている。
【００３９】
一方、制御基板収納部４６のフランジ部４８のうち、板面部４７の長尺な２辺に沿って板面部４７から突設されている部分は（以下「雌部」という）、二重壁状に形成されており、この二重壁を形成する壁と壁との間に、制御基板収納部４１の雄部を挿入可能な挿入溝部４８０が設けられている。
【００４０】
また、各挿入溝部４８０には、制御基板収納部４１の雄部を挿入すると、この雄部に設けられた３つの引掛片４８１が形成されている。
これら制御基板収納部４１，４６を組み合わせる場合、フランジ部４３の雄部をフランジ部４８の雌部に挿入し、制御基板収納部４１，４６を、挿抜方向に沿った図８中の矢印αの方向に互いにスライドさせる。
【００４１】
すると、雄部に設けられた引掛溝４３０が引掛片４８１に係合するので、制御基板収納部４１，４６は、矢印αとは逆方向に互いに移動しない限り、外れないように組み合わされる。
【００４２】
そしてこのように組み合わされると、制御基板収納部４１，４６は、その内部に外部から遮蔽された箱形の収納空間を形成し、この収納空間内に制御基板Ｓ（図５参照）が収納される。そのため、制御基板Ｓ上に実装されたＲＯＭ等が不正に交換等されることが防止される。
【００４３】
この制御基板Ｓは、制御基板収納部４１，４６が組み合わせる前に、制御基板収納部４６の内側に取り付けられる。このとき制御基板上に実装されているＩＣなどが、制御基板収納部４６の板面部４７に対向するように取り付けられる。これは、板面部４７も透明なプラスチックで形成されているので、制御基板が基板ケース３内に収納されても、制御基板上に実装されたＲＯＭ等の電子部品が不正に交換されていないか、板面部４７を介して外部から確認できるようにするためである。図２に示すように、本実施形態では、この基板ケース３を備える組立体２を遊技盤ユニット１２に取り付けると、遊技機１の裏面側から外ケース部材４５を通して、基板ケース３内の制御基板Ｓに実装された電子部品を視認することができる。
【００４４】
尚、制御基板の制御基板収納部４１内への取り付け方法についての詳細な説明は省略する。
図８に示すように、また、各ケース部材４０，４５は、上述した制御基板収納部４１，４６、及び、封止部５１，５６の他に、封止部５１，５６に隣接して設けられた第１ネジ止片９１、第２ネジ止片９６を備えている。
【００４５】
そして、上述のように制御基板収納部４１，４６をスライドさせて組み合わせると、これらを組み合わせた封止体４の長手方向の端部に封止部５１，５６によって封止基礎部５（図１０（ａ）参照）が形成される。
【００４６】
図７に示すように、また、封止基礎部５にかぶせて封止体４にキャップ８を取り付けると、封止体４の長手方向の端部には、第１ネジ止片９１、第２ネジ止片９６に加えて、キャップ８が備える第３ネジ止片９８が重なり、ネジ止め用のネジ止部９を構成する。
【００４７】
図７（ａ）に示すように、このネジ止部９に、カシメ部材３０（カシメピン）を打ち込むと、両ケース部材４０，４５は閉止状態でロックされ、さらにキャップ８も両ケース部材４０，４５に固定される。
【００４８】
一方、カシメ部材３０を除去することによって、キャップ８の固定が解除され、両ケース部材４０，４５間のロックも解除される。
尚、以下の説明では、必要に応じ、両ケース部材４０，４５のうち、遊技盤ユニット１２に取り付けられる側のケース部材４０を内ケース部材４０、裏面側を向く外ケース部材４５を外ケース部材４５と呼ぶ。
（封止基礎部５）
次に、封止基礎部５について説明する。
【００４９】
ここで図９は、ケース部材を組み合わせた封止体を（ａ）裏面側からみた正面図、（ｂ）（ａ）の背面図である。図１０は、封止体の側面図であり、（ａ）は切断部材が組み込まれる前の図面であり、（ｂ）は切断部材が組み込まれた後の図面である。図９（ａ）の矢印ホの方向にみた図である。図１１は、添付予定範囲について説明する説明図で、封止基礎部の（ａ）正面図、（ｂ）背面図、（ｃ）側面図である。図１２は、添付予定範囲に封印シールを貼り付けた様子を示す説明図で、封止基礎部の（ａ）正面図、（ｂ）背面図、（ｃ）側面図である。
【００５０】
図９（ａ）（ｂ）に示すように、上述した各ケース部材４０，４５は、封止部５１，５６を備えており、これら封止部５１，５６は、制御基板収納部４１，４６の長手方向（挿抜方向）の一端側の辺から突設されている。
【００５１】
これら封止部５１，５６は、制御基板収納部４１，４６から立設される立設方向（挿抜方向）に沿った高さが同じ高さであり、これら封止部５１，５６が立設される制御基板収納部４１，４６の辺に沿った方向（上下方向）の幅が同じ幅に形成されている。
【００５２】
そして、上記のようにケース部材４０，４５を組み合わせると、これら封止部５１，５６は、組み合わされた制御基板収納部４１，４６の長手方向の一端側の辺部に、図１０（ａ）に示すような封止基礎部５を形成する。
【００５３】
この封止基礎部５を構成する封止部５１，５６は、封止部５１，５６が一定間隔を開けて平行に配置され、これら封止部５１，５６が互いに対向する面の間に挿抜空間５ａを形成する。
【００５４】
また、封止部５１には、挿抜方向に沿った開封方向側の遊端部５１ａ（図９（ｂ）参照）から、封止部５６の遊端部５６ａ（図９（ａ）参照）に向かって立設された壁面部５１１が形成されている。
【００５５】
この壁面部５１１のため、封止部５１，５６の間に挿抜空間５ａを形成することによって、挿抜空間５ａが封止部５１，５６の遊端部５１ａ，５６ａ側で開いている開口（符号β）が、切断部材６が挿抜空間５ａに抜き差しされる部分（符号γ）を残して閉じられる（図１０（ｂ）参照）。
【００５６】
図９（ａ）（ｂ）に示すように、また、各封止部５１，５６には、挿抜方向に沿って長尺な溝部５１２，５６２が形成される。
封止部５６には、挿抜方向に沿って平行な２つの溝部５６２が、所定間隔離して形成され、封止部５１には、挿抜方向に沿って、１つの溝部５１２が形成される。
【００５７】
これら溝部５６２，５６２は、切断部材６が挿抜空間５ａに挿抜されるとき、切断部材６が備える後述する低立設部６２、高立設部６３を挿抜方向に沿って案内するものである（図１０（ｂ）参照）。
【００５８】
図１０（ａ）に示すように、また、封止部５６の挿抜空間５ａ側の面上には、一対の支持突起５６４が形成されている。
これらの支持突起５６４は、二つの溝部５６２の内側であって、これら溝部５６２に隣接する位置を基点として挿抜空間５ａに向かって立設されているものであり、支持突起５６４の先端が溝部５６２上に位置するように、八の字状に広がって傾斜した状態で立設されている。
【００５９】
図１１に示すように、また、この封止基礎部５には、封印シール７を添付する添付予定範囲５ｂが設定されている。
各封止部５１，５６は、挿抜方向に対して垂直な上下方向の両端が、他の部分よりも肉厚に形成されており、この両端を除く部分であって、封止部５６の裏面側の面５６ｂと封止部５１の表面側の面５１ｂは、上下方向及び挿抜方向を含む面に沿った平坦な面を形成している。
【００６０】
また、封止部５６の裏面側の面５６ｂ上であって、基板収納部５１１側の近傍には、上下方向に沿って直線状に形成された枠線部５６１が設けられている。この枠線部５６１は、面５６ｂよりも盛り上げて形成されている。
【００６１】
添付予定範囲５ｂは、封止部５１の表面側の面上（図１１（ｃ））から、壁面部５１１上を通って（図１１（ｂ））、封止部５６の裏面側の面５１２ａ上の枠線部５６１が設けられている部分まで（図１１（ａ））に設定されている。
【００６２】
図１２に示すように、そのため、この添付予定範囲５ｂの幅（上下方向に沿った幅）と同じ幅の封印シール７を、添付予定範囲５ｂに貼り付けると、封印シール７が、各封止部５１，５６の溝部５６２，５６２をまたぐように各封止部５１，５６に貼り付けられる。
【００６３】
また、封印シール７は、切断部材６が挿抜空間５ａに抜き差しされる部分（符号γ）（図１０（ｂ）参照）をまたぐように貼り付けられる。
図１２（ｃ）に示すように、尚、封印シール７が添付予定範囲５ｂ全体に貼り付けられていないのは、後述する切断部材６を挿抜空間５ａに挿入すると、切断部材６が備えている破断部６３１が、封止部５１の溝部５１２から面５１ｂ上から飛び出すので、この破断部６３１に封印シール７が当たらないようにしているためである。
（封印シール７）
次に、封印シール７について説明する。
【００６４】
ここで、図１３は封印シール７の平面図である。
封印シール７は、基板ケース３を封印する手段として用いられるものであり、認証資格を有した組織等によって発行された真正品であることを証明するものである。
【００６５】
この封印シール７は、切断性を考慮し、紙などの切断し易い材料の一方の面に接着面が設けられたものであり、複数の切目７０が形成されるとともに、ホログラム７１が形成されている。また、ＱＲコード７２（登録商標、以下同じ）も印刷されている。さらに、開封禁止の文字も印刷されている。
【００６６】
この封印シール７は左右の縦の辺に比べ上下の横の辺が長い長方形状に形成されており、上辺と下辺に隣接した位置に、これら上辺と下辺に沿って複数の×印状の切目７０がそれぞれ並べて形成されている。
【００６７】
ＱＲコード７２は、上辺側の切目７０の列の下方であって長手方向中央部分に印刷される。ホログラム７１は、このＱＲコード７２の左右両側に印刷される。
開封禁止の文字は、ＱＲコード７２及びホログラム７１の下方、下辺側の切目７０の列の上方に印刷される。
【００６８】
図１２に示すように、この封印シール７は、ホログラム７１が印刷された部分が、溝部５６２を跨ぐ位置に位置するように、封止基礎部５に貼り付けられる。
尚、この封印シール７は一例であって、切目７０、ホログラム７１、ＱＲコード７２の位置は、これに限られるものではない。例えばホログラム７１は、一つ設けられていてもよいし、ホログラム７１とＱＲコード７２との位置関係はどのようにしてもよい。また、この封印シール７は封止基礎部５に貼り付けたとき、ＱＲコード７２が封止部５６に形成された溝部５６２上に位置するようにＱＲコード７２を印刷してもよい。
（切断部材６）
次に、切断部材６について説明する。
【００６９】
ここで、図１４は、切断部材の（ａ）表側斜視図、（ｂ）裏側斜視図、図１５は、切断部材の（ａ）表面図、（ｂ）裏面図、（ｃ）側面図である。図１６は、切断部材を封止基礎部の挿抜空間に挿入する様子を説明するための斜視図で、一方の封止部を取り外した状態を示す斜視図である。（ａ）は取付前（ｂ）は取付中（ｃ）は取付完了時の図である。
【００７０】
図１４に示すように、切断部材６は、基礎部６０と、一対の摘部６１と、一対の低立設部６２と、高立設部６３と、切断部６４と、一対の取付溝部６５とを有する形状に形成されている。
【００７１】
この切断部材６の基礎となる基礎部６０は、略長方形状に形成されている。この基礎部６０の長尺な２辺のうち、切断部６４が形成された辺を前方辺６０ａ、他方の辺を後方辺６０ｂと以下呼ぶ。また、これら前方辺６０ａ及び後方辺６０ｂの並び方向を幅方向と以下呼ぶ
摘部６１は、この基礎部６０の長手方向両端に設けられ、全体に「く」の字に折り曲げられた形状に形成されている。
【００７２】
この摘部６１は、一部が、前方辺６０ａ側の端部（前方側の端部）から、基礎部６０の幅方向の中央部分（後方側の端部）まで、この短辺に沿って基礎部６０と一体に形成されている。また摘部６１は、残りの一部が基礎部６０から離れ、基礎部６０と一体に形成された部分の後方側の端部から延設されて、基礎部６０の短辺に対し鋭角な角度をなす形状に形成されている。
【００７３】
このため摘部６１の基礎部６０から離れた部分は、弾性を有するようになり、また、切断部材６を挿抜空間５ａに挿入したとき、その遊端部６１ａが封止基礎部５から突出するよう、角度及び長さが調整されている。そして、この遊端部６１ａは、後述するキャップ８を封止基礎部５に取り付けたとき、キャップ８の内側面に形成された突起８２に引っ掛かけられる（図１９参照）。
【００７４】
一対の低立設部６２は、基礎部６０の裏面側の面上から立設され、基礎部６０の長手方向に見たとき、基礎部６０の長手方向中央を挟んだ両側で所定距離離して配置されている。
【００７５】
この低立設部６２は、基礎部６０の長手方向に対して垂直で後方辺６０ｂから前方辺６０ｂ側に向かって延設された土台部６２０と、この土台部６２０上に設けられた破断部６２１とを備えている。この破断部６２１は、土台部６２０上の後方辺６０ｂ側の端部に設けられている。
【００７６】
土台部６２０は、前方辺６０ａ側の先端が先細形状に形成され、破断部６２１の前方辺６０ａ側には、後方辺６０ｂ側に向かって凹状に形成された凹部６２１ａが形成されている。
【００７７】
高立設部６３は、基礎部６０の表面側の面上から立設され、基礎部６０の長手方向中央位置からみて一方の側に偏って配置されている。
この高立設部６３も、後方辺６０ｂに対して垂直で前方辺６０ａから後方辺６０ｂに向かって延設された土台部６３０と、この土台部６３０上に設けられた破断部６３１とを備えている。
【００７８】
この高立設部６３の土台部６３０は、低立設部６２の土台部６２０よりも基礎部６０からの背が高く、前方辺６０ａ側の先端が先細形状に形成されている。
また、破断部６３１は、低立設部６２が備える破断部６２１よりも破断方向に沿って長尺状に形成され、この破断部６３１の後方辺６０ｂ側の後端部は、土台部６３０上の後方辺６０ｂ側の端部に位置している。そして、破断部６３１の前方辺６０ａ側には、後方辺６０ｂ側に向かって凹状に形成された凹部６３１ａが形成されている。
【００７９】
図１５に示すように、そのため、低立設部６２に設けられた破断部６２１の前方辺６０ａ側の先端、及び、高立設部６３に設けられた破断部６３１の前方辺６０ａ側の先端を比較すると、挿抜方向（図中符号Ｐ）に沿った位置でみたとき（破断部６２１は符号Ｐ１の位置、破断部６３１は符号Ｐ２の位置）、破断部６３１の前方辺６０ａ側の先端の方が、破断部６２１の前方辺６０ａ側の先端よりも前方辺６０ａ側に位置する、いわゆる段違いの位置関係にある。
【００８０】
図１０に示すように、ところで、この切断部材６は、封止基礎部５の挿抜空間５ａに挿入されるとき、低立設部６２が溝部５６２に案内されて挿入され、高立設部６３が溝部５１２に案内されて挿入される。
【００８１】
図１２に示すように、また、本実施形態では、封止基礎部５の外側面上の添付予定範囲５ｂに封印シール７が添付され、このとき溝部５１２、５６２を跨いで添付される。
そして、本実施形態では、挿抜空間５ａに挿入された切断部材６を抜くときに、溝部５１２、５６２を跨ぐ封印シール７を削り取ろうとしている。
【００８２】
図１４に示すように、そのため、土台部６２０，６３０は、破断部６２１、６３１が溝部５１２、５６２を跨ぐ封印シール７に当たる位置に位置するように、背の高さが調整されている。
【００８３】
図１２に示すように、また、本実施形態では、切断部材６を挿抜空間５ａに挿入した後、添付予定範囲５ｂに封印シール７が貼り付けられる。このとき、破断部６２１が封印シール７に当たらないよう、切断部材６を挿抜空間５ａに挿入したとき、破断部６２１が添付予定範囲５ｂの外側、具体的には、枠線部５６１よりも外側（外ケース部材４５の側）に位置するよう、切断部材６は挿抜空間５ａ内に挿入される。
【００８４】
図１４に示すように、切断部６４は、基礎部６０の前方辺６０ａを刃状に形成することによって設けられた部位であり、前方辺６０ａの長手方向の中央部分に２つの突出部６４０を備える形状に形成された部位である。
【００８５】
一対の取付溝部６５は、後方辺６０ｂから前方辺６０ａ側に向かって形成されている。  本実施形態の切断部材６は、上述のように一対の低立設部６２を備えているが、これらに挟まれた部分を内側と呼ぶとき、これら一対の取付溝部６５は、各低立設部６２に隣接する位置のうち内側の位置であって、各低立設部６２に隣接して設けられている。
【００８６】
図１６（ａ）〜（ｃ）に示すように、この切断部材６は、前述した挿抜空間５ａに挿入されて固定されるが、このとき支持突起５６４が取付溝部６５に挿入されて固定される。  図１６（ｂ）に示すように、そしてこのとき、支持突起５６４が、取付溝部６５に設けられた傾斜面６５０と当接する。図１６（ｃ）に示すように、すると、挿抜空間５ａ内に挿入された切断部材６は、傾斜面６５０が形成された部分で、支持突起５６４と封止部５６の挿抜空間５ａ側の面との間で挟まれ、挿抜空間５ａ内で固定される。
（キャップ８）
次に、キャップ８について説明する。
【００８７】
ここで、図１７は、キャップの（ａ）裏面斜視図、（ｂ）表面斜視図、（ｃ）側面図である。
キャップ８は、封止基礎部５にかぶせて封止基礎部５全体を覆うことができる大きさに形成されており、封止基礎部５に対して着脱可能に形成されている。
【００８８】
図１７に示すように、このキャップ８は、封止基礎部５を覆う椀状に形成された箱部８０と、この箱部８０の長手方向の一端側に形成された第３ネジ止片９８とを備えている。
箱部８０の内側面には、キャップ８を封止基礎部５に取り付けたときに、挿抜空間５ａに挿入された切断部材６の摘部６１の遊端部６１ａ（図１４参照）が引っ掛かる位置に、突起８２が設けられている。前述したように切断部材６を挿抜空間５ａに挿入すると遊端部６１ａが挿抜空間５ａの外に出ているので、突起８２は、この遊端部６１ａと引っかかる（図１９参照）。
【００８９】
また、箱部８０の内側面には、キャップ８を封止基礎部５に取り付けたときに、挿抜空間５ａに挿入された切断部材６の破断部６２１が嵌る溝部８４、破断部６３１が嵌る溝部８６が形成されている。破断部６２１、６３１も、摘部６１の遊端部６１ａと同様、切断部材６を挿抜空間５ａに挿入すると、挿抜空間５ａの外に出るからである。
【００９０】
このキャップ８を封止基礎部５にかぶせると、突起８２が切断部材６の摘部６１の遊端部６１ａと係合する（図１９参照）。このとき、摘部６１は弾性変形して突起８２に係合する。
【００９１】
図１７（ｄ）に示すように、また、このキャップ８を封止基礎部５にかぶせると、破断部６２１，６３１が溝部５６２，５６２に嵌る。
図７に示すように、また、このキャップ８を封止基礎部５にかぶせると、第３ネジ止片９８が、内ケース部材４０の第１ネジ止片９１と，外ケース部材４５の第２ネジ止片９６とが組み合わされたものに重なり、ネジ止め用のネジ止部９を構成する。
【００９２】
このネジ止部９にはカシメ部材３０が打ち込まれ、キャップ８が封止体４に固定されるとともに、封止体４を構成するケース部材４０，４５も固定される。
（基板ケースの封止と、キャップの着脱）
次に、基板ケースの封止と、キャップの着脱について説明する。
【００９３】
ここで、図１８は、基板ケースの封止と、キャップの着脱について説明するための説明図で、（ａ）は、封止基礎部５に対して切断部材、封印シール、キャップのいずれも取り付けていない様子を示しており、（ｂ）は切断部材を取り付けた様子を示しており、（ｃ）は封印シールを添付した様子を示しており、（ｄ）はキャップを取り付けた様子を示しており、（ｅ）は切断部材及びキャップを取り外した様子を示している。尚、説明簡単のため、キャップについては、キャップを構成する箱部について、裏面側の側面を取り払ったものを示している。また、基板ケースについては、外ケース部材のみを示している。
【００９４】
図１９は、切断部材がキャップ内でキャップに係合した様子を説明するための説明図で、遊技機の裏面側からみた正面図であって、キャップを構成する箱部について、裏面側の側面を取り払った図面である。
【００９５】
以下、切断部材６、封印シール７、キャップ８を封止基礎部５に取り付ける様子、そしてキャップ８を封止基礎部５から取り外すときの様子を順を追って説明する。
図１８（ａ）に示すように、本実施形態では、切断部材６、封印シール７、キャップ８は、この順に、封止基礎部５に対して取り付けられる。
【００９６】
図１８（ｂ）に示すように、まず、切断部材６を挿抜空間５ａに挿入することにより、切断部材６が封止基礎部５に取り付けられる。
先に図１６を用いて説明したように、このとき、切断部材６は、切断部材６が挿抜空間５ａ内に挿入されると、切断部材６が、取付溝部６５に形成された傾斜面６５０を介して、封止部５６側に設けられた支持突起５６４と、封止部５６の挿抜空間５ａ側の面との間に挟まれ、封止部５６に固定される。この結果、切断部材６は、挿抜空間５ａに挿入されると封止部５６内で固定される。
【００９７】
図１８（ｃ）に示すように、次に、封印シール７が、封止基礎部５の前述した添付予定範囲５ｂ（図１１参照）に添付されることによって基板ケース３は封印される。図１２に示すように、このとき、封印シール７が破断部６２１，６３１に係らないように添付される。
【００９８】
図１８（ｄ）に示すように、次に、キャップ８を封止基礎部５に取り付ける。
図１９に示すように、このとき、切断部材６の摘部６１の遊端部６１ａが、キャップ８の内側面に形成された突起８２に係合して、切断部材６がキャップ８と一体化する。
【００９９】
図７に示すように、このとき、内ケース部材４０の第１ネジ止片９１と、外ケース部材４５の第２ネジ止片９６と、キャップ８の第３ネジ止片９８とが組み合わされてネジ止部９を構成し、このネジ止部９にカシメ部材３０を打ち込むことで、内ケース部材４０、外ケース部材４５、キャップ８が互いに固定される。
【０１００】
図１８（ｅ）に示すように、次に、基板ケース３の封印を解くときは、カシメ部材３０が取り外されるとともに、キャップ８が封止基礎部５から取り外ずされる。基板ケース３の封印が不正に解かれる時も同様である。
【０１０１】
キャップ８を封止基礎部５から取り外すと、前述したように、切断部材６とキャップ８とは一体化しているので、同時に切断部材６も封止基礎部５から取り外される。
すると、破断部６２１，６３１、及び、切断部６４により、封印シール７には回復不能な複数の傷が付けられる。
【０１０２】
ここで、封印シール７が破断される様子について図２０を用いて説明する。
図２０は、封印シールを破断する様子を説明するための斜視図で、説明容易のため、切断部材と封印シールのみを示している。
【０１０３】
切断部材６は、挿抜空間５ａから抜き出される部分γ（図１０（ａ）参照）を覆う封印シール７を切断部６４で破って抜き出される。
また、各破断部６２１，６３１は、低立設部６２が溝部５６２に案内され、高立設部６３が溝部５６２に案内されることにより、挿抜方向に沿って、封印シール７を押しつぶしながら削り取ってゆく。
【０１０４】
各破断部６２１，６３１は、後方辺６０ｂ側に向かって凹状の凹部６２１ａ、６３１ａを備えているが、これらが形成されることによって、２つの先端部（破断部６２１は、符号６２１ｂで示し、破断部６３１は、符号６３１ｂで示す部分）を有する形状に形成されている。
【０１０５】
そのため、破断部６２１，６３１によって封印シール７が傷つけられるときは、破断部６２１，６３１の先端部６２１ｂ，６３１ｂによって封印シール７が切り取られるとともに、これら先端部６２１ｂ，６３１ｂの間に切り取られた封印シール７が折り重なり、しかも、封印シール７の接着面同士が重なるなどして容易に元に戻せない塊Ｘとなる。
【０１０６】
加えて、本実施形態の封印シール７は、複数の切目７０が形成されているので、切目７０の部分で破損しやすくなっている。そのため、破断部６２１，６３１で封印シール７を破断するとき、破断されたシールが溝部５１２，５６２近傍のシールを巻き込み、切目７０によって切れやすくなった部分をも剥がしながら封印シール７を破断する。
【０１０７】
このように、本実施形態の切断部材６で封印シール７を傷つけると、その傷は、修復不能な強いダメージを与えて破断するので、不正行為があった後に切断部材を挿抜空間に戻しても、その傷が塞がることがない。
【０１０８】
したがって、不正行為などによりキャップ８が封止基礎部５から外されて切断部材６が挿抜空間５ａから抜き出されると、破断部６２１，６３１が添付予定範囲５ｂに添付された封印シール７を削り取って修復不能な強いダメージを与えて破断するので、不正行為があった後に切断部材６を挿抜空間５ａに戻しても、その傷が塞がることがない。
【０１０９】
また、削り取られた塊Ｘを引き延ばして、傷を塞いだとしても、外観上、不正行為が行われたことを明確に判別できる程度にシワや破損部が残されることとなる。
尚、切目７０は、完全に切断はされていないものの、弱い力で容易に切断されるように深い溝が形成されたものでもよいし、ミシン目のようなものでもよい。
【０１１０】
また、説明の重複を避けるため、破断部６２１のみを示した図２１を用いて封印シール７が破断される様子について説明したが、破断部６３１についても同様に封印シール７を破断する。
【０１１１】
本実施形態の基板ケース３は、制御基板収納部４１，４６と封止部５１，５６とを有する２つのケース部材４０，４５を、制御基板収納部４１，４６が制御基板Ｓを収納する収納空間を形成するように組み合わせたとき、各封止部５１，５６の間に挿抜空間５ａが形成されるように各封止部５１，５６を対向させて配置することにより各封止部５１，５６によって形成された封止基礎部５と、挿抜空間５ａに挿抜可能な切断部材６と、封止部５１，５６に設けた溝部であって、封止基礎部５の外側面に設定された封印シール７の添付予定範囲５ｂを通って、切断部材６が挿抜空間５ａに対して挿抜される挿抜方向に沿って形成された溝部５１２、５６２と、切断部材６に設けられた破断部６２１，６３１であって、切断部材６が挿抜空間５ａに対して挿抜されるとき各溝部を通過し、添付予定範囲５ｂに添付された封印シール７を傷つける破断部６２１，６３１と、封止基礎部５に被せて取り付けられるキャップ８であって、封止基礎部５に被せられたとき挿抜空間５ａに位置する切断部材６と係合するキャップ８と、を備え、破断部６２１，６３１は、切断部材６が挿抜空間５ａから抜き取られるとき、溝部５１２、５６２を跨いで添付予定範囲５ｂに貼られた封印シール７を削り取る。
【０１１２】
本実施形態では、不正行為によりキャップ８が封止基礎部５から外されて切断部材６が挿抜空間５ａから抜き出されると、破断部６２１，６３１が添付予定範囲５ｂに添付された封印シール７を削り取って修復不能な強いダメージを与えて破断するので、不正行為があった後に切断部材６を挿抜空間５ａに戻しても、その傷が塞がることがない。
【０１１３】
したがって、本実施形態では、基板ケース３の封印が不正に解かれると、その不正行為に伴って封印シール７にできる傷を検査者が確実に視認することができるので、検査者は、不正行為があったことを確実に認識することができる。
【０１１４】
また、本実施形態では、基板ケース３の封印が不正に解かれると、不正行為があったことが店側に確実に認識され、このことが不正行為者に対する牽制となるので、本実施形態の基板ケース３を用いると不正行為の発生を抑制することができる。
【０１１５】
また、本実施形態では、破断部６２１，６３１が、切断部材６が挿抜空間５ａから抜き取られるとき溝部５６２，５６２内を進む進行側に向かって突出した２つの先端部６２１ａ，６２１ｂ，６３１ａ，６３１ｂを有する形状に形成されている。
【０１１６】
このようにすると、切断部材６が挿抜空間５ａから抜き取られるときに、破断部６２１，６３１の各先端部がシールに切れ目を入れて、その切れ目の間に位置するシールを各先端部の間にため込みながら削り取ることとなり、回復することのないダメージを強い傷を作りやすいからである。
【０１１７】
また、本実施形態では、溝部５６２，５６２が、添付予定範囲５ｂに貼られる封印シール７のホログラム７１が印刷された部分を通るようにされている。ホログラム７１は修復が極めて難しいため、ホログラム７１に傷を付けると、元通りに修復することが極めて困難になるからである。尚、本実施形態では溝部５６２，５６２が、ＱＲコードが印刷された部分を通っていないが、これを通るようにしてもよい。
【０１１８】
また、本実施形態では、溝部５６２，５６２が各封止部５１，５６に設けられ、各破断部６２１，６３１は、各封止部５１，５６に設けられた溝部５６２，５６２に対して設けられている。
【０１１９】
このように溝部５６２，５６２を各封止部５１，５６に設けると、各封止部５１，５６で封印シール７に傷が付けられるので、不正行為があったとき、封印シール７の修復が困難になるからである。
【０１２０】
また、本実施形態では、破断部６２１は、切断部材６が挿抜空間５ａに収納されているとき、枠線部５６１よりも外側、すなわち封印シール７の添付予定範囲５ｂの外側に位置する。
【０１２１】
このようにすると、封印シール７と破断部６２１とのクリアランスを確保でき、封印シール７を添付する自由度が向上するからである。
［第２実施形態］
次に、第２実施形態について説明する。
【０１２２】
以下では第１実施形態と異なる点のみ説明する。
ここで、図２１は、第２実施形態で使用する封印シールを封止基礎部に貼り付けた様子を示す図で、封止基礎部の（ａ）正面図、（ｂ）背面図、（ｃ）側面図である。図２２は、封印シールを添付した封止基礎部の（ａ）正面図、（ｂ）背面図、（ｃ）正面図、（ｄ）背面図であり、（ａ）（ｂ）は切断部材が少し抜き出されたときの図であり、（ｃ）（ｄ）は切断部材が多く抜き出されたときの図である。図２３は、封止基礎部の正面図である。
【０１２３】
図１２に示すように、第１実施形態では、切断部材６を挿抜空間５ａに挿入したときに、封印シール７の端部が両破断部６２１，６３１の近傍に達する大きさの封印シール７を用いたが、図２１に示すように、第２実施形態では、封印シール７の一方の端部が破断部６３１の近傍に位置するように添付予定範囲に貼ると、封印シール７の他方の端部が破断部６２１から離れた位置に位置する大きさの封印シール７を用いている。図１３（ｂ）に示すように、平面視すると、第２実施形態で用いる封印シール７の方が、第１実施形態で用いる封印シール７に比べ、縦方向の幅が小さいからである。
【０１２４】
一方、図１５に示すように、第２実施形態で用いる切断部材６は第１実施形態で用いられるものと同様であり、これは、各破断部６２１，６３１が、挿抜方向に沿った位置でみたとき異なる位置に配置されている位置関係、いわゆる段違いの位置関係にあるものである。
【０１２５】
そのため、第２実施形態で用いる大きさの封印シール７を上述のように添付すると、各破断部６２１，６３１と封印シール７との距離が各破断部６２１，６３１ごとに異なることとなる。
【０１２６】
図２２（ａ）（ｂ）に示すように、このようにすると、切断部材６を途中まで引き抜いて行われる不正行為があったとしても、封印シール７から遠い位置に配置される破断部６２１は封印シール７に傷を付けることはできないが（図２２（ａ））、封印シール７から近い位置に配置される破断部６３１が封印シール７に確実に傷を付けるので（図２２（ｂ））、その不正行為を確実に見つけることができる。
【０１２７】
図２２（ｃ）（ｄ）に示すように、また、切断部材６を長く引いて行われる不正行為があった場合は、封印シール７から遠い位置に配置される破断部６２１も封印シール７に傷を付けるので、そのような不正行為があったことが分かる。すなわち、第２実施形態では、切断部材６が挿抜空間５ａからどの程度抜き出されたかがわかるので、その程度に応じたどのような不正行為が行われたのかを容易に特定することができる。
【０１２８】
図２３に示すように、尚、第２実施形態では、封止部５６に設けられている枠線部５６１を、第１実施形態の場合に比べ、切断部材６が挿抜空間から抜き取られる方向側（図中イの方向側）に移動した位置に設けてもよい。この場合、添付予定範囲５ｂは、第１実施形態のものに比べ狭くなる。
［第３実施形態］
次に、第３実施形態について説明する。
【０１２９】
以下では第１実施形態と異なる点のみ説明する。
ここで、図２４は、切断部材の斜視図であり、図２５、２６は、破断部の他の形状を示す斜視図である。
【０１３０】
第１実施形態では、破断部６２１，６３１が台形状に窪んだ形状に形成され、いずれも同じ形状に形成されていたが、図２５に示すように、破断部６２１，６３１の形状は異なる形状としてもよい。
【０１３１】
図２４では、一対の破断部６２１のうち、一方の破断部６２１の形状を３つの先端部６２１ｂを有するＷ字状とした。
破断部６２１，６３１の形状が異なると、封印シール７を傷つける際、その傷跡が異なることがあるので、その形状を判別することで、どのような不正が行われたかを素早く特定することができる。
【０１３２】
また、破断部６２１，６３１の形状としては、２以上の先端部６２１ｂを有する形状であればどのような形状であってもよく、図２５に示すように、（ａ）のこぎりの刃の形状、（ｂ）三角形状、（ｃ）半円形状などどのような形状としてもよい。
【０１３３】
図２６に示すように、また、各破断部６２１，６３１は、挿抜方向に対して異なる角度（θ１、θ２）の刃先６２２，６２３を有するようにしてもよい。
［他の実施形態］
以上、実施形態について説明したが、特許請求の範囲に記載された発明は、上記実施形態に限定されることなく、種々の形態を採り得ることは言うまでもない。
【０１３４】
（１）上記実施形態で説明した基板ケース３は、パチンコ遊技機、スロットマシン等の遊技機に装備される制御基板を収容する手段として利用することができる。
（２）図２７に示すように、上記実施形態では、破断部６２１，６３１は、平面形状、すなわち、切断部材６が挿抜空間５ａから抜き取られるとき溝部５１２、５６２内を進む進行側に面する削取面６２１ｃが形成された形状としてもよい。
【０１３５】
この削取面６２１ｃは、挿抜方向に対して略垂直であればよい。
これは、切断部材６が挿抜空間５ａから抜き取られるときに、削取面が、接触する封印シール７を押しつぶしながら削り取ることとなるからである。
【０１３６】
（３）図２８に示すように、上記実施形態では、破断部６２１と破断部６３１とで段違いになるように構成したが、２つの破断部６２１が段違いとなるように構成してもよい。この場合、一方の破断部６２１を破断部６３１のように他方の破断部６２１に比べ挿抜方向に沿って長尺な形状とするとよい。
【０１３７】
（４）図８に示すように、上記実施形態では、各ケース部材４０，４５を、矢印αで示すように互いに逆方向にスライドさせることにより開閉可能としたが、開閉方法はこれに限るものではない。
【０１３８】
例えば、両ケース部材４０，４５を制御基板の面と直交する方向へ開放する構成としてもよい。この場合にも、本発明の封印構造を適用することができる。
（５）上記実施形態では、封止基礎部５を、各ケース部材４０，４５の一方の短辺から突設した形で設けたが、各ケース部材４０，４５の長辺から突設した形で設けてもよい。
【０１３９】
[実施形態に含まれる発明の説明]
従来の基板ケースは、一方のケース部材を遊技機の背面に重ね、その上に他方のケース部材を重ねる形で遊技機に取り付けられる。そのため、封止基礎部から切断部材を抜き出す方向は、ケース部材が重ねられる方向とは垂直な方向（遊技機の背面に沿った方向）となる。
【０１４０】
従来の基板ケースは、上述した破断部を備えていなかった。そのため、切断部材が封印シールを切断する部分を確認するには、遊技機の背面に沿った方向に顔を向けないと確認できなかった。しかも、遊技機の背面には複数の機器が備え付けられているので、これらの機器が切断部材によって封印シールを切断する部分を隠してしまう場合があり、その場合、基板ケースを遊技機から全て外さないと、切断部材が封印シールを切断しているか、その破断面を確認できない、すなわち、不正行為があったか否かを確認できないことがあった。
【０１４１】
しかし、従来の基板ケースでは、切断部材に破断部が設けられ、その破断部が通過する溝部が設けられた面が遊技機の背面側を向くので、遊技機を開けて遊技機の背面を正面視すれば、破断部が封印シールを傷つけているか否か、すなわち、不正行為があったか否かを確認することができた。そのため上述した基板ケースを用いると、基板ケースを遊技機から全て外すことなく、不正行為があったか確認することができた。
【０１４２】
ところで、不正行為の中には、切断部材を封止基礎部からすべて引き抜かなくても、途中まで引き抜けば行える不正行為が存在する可能性がある。
その場合、切断部材が挿抜空間から抜き取られる前に破断部が位置する位置と、シール添付部に貼られた封印シールとの距離が遠いと、封印シールに傷がつかないことも考えられる。
【０１４３】
そこで本発明の基板ケースでは、切断部材を途中まで引き抜いて行われる不正行為をも確実に見つけることができる封止構造を採用している。
具体的に、基板ケース(１)の封止構造に係る第１の発明は、
制御基板収納部(４１，４６)と封止部(５１，５６)とを有する２つのケース部材(４０
，４５)を、前記制御基板収納部が制御基板を収納する収納空間を形成するように組み合
わせたとき、前記各封止部の間に挿抜空間（５ａ）が形成されるように前記各封止部を対向させて配置することにより前記各封止部によって形成された封止基礎部(５)と、
前記挿抜空間に挿抜可能な切断部材(６)と、
前記封止部に設けた溝部であって、前記封止基礎部の外側面に設定されたシールの添付予定範囲（５ｂ）を通って、前記切断部材が前記挿抜空間に対して挿抜される挿抜方向に沿って形成された複数の溝部（５１２、５６２）と、
前記切断部材に設けられた破断部であって、前記切断部材が前記挿抜空間に対して挿抜されるとき前記各溝部を通過し、前記添付予定範囲に添付されたシール（７）を傷つける複数の破断部（６２１，６３１）と、
前記封止基礎部に被せて取り付けられる外装部であって、前記封止基礎部に被せられたとき前記挿抜空間に位置する前記切断部材と係合する外装部（８）と、
を備え、
一方の前記封止部側の前記破断部の数と、他方の前記封止部側の前記破断部の数とが異なることを特徴とする。
【０１４４】
次に、第２の発明では、シールに、破断部によって破断されるとき、シールを切れやすくする切目が設けられている。
次に、第３の発明では、各破断部の少なくとも一部が、異なる形状に形成され、切断部材が挿抜空間から抜き取られるとき、溝部を跨いで添付予定範囲に貼られたシールを削り取る挿抜方向に対して互いに異なる位置に配置されている。
【０１４５】
次に、第４の発明は、各破断部が、挿抜方向に対して異なる角度の刃先（６２２，６２３）を有する。
【０１４６】
第１の発明では、一方の封止部側の破断部の数と、他方の封止部側の破断部の数とが異なる。
【０１５０】
次に、第２の発明のように封印シールに切目を設けると、切目の部分で破損しやすくなるため、破断部で封印シールを破断するとき、破断されたシールが溝部近傍のシールを巻き込み、切目によって切れやすくなった部分をも剥がしながら封印シールを破断する。
このようにすると、封印シールは、修復不能な強いダメージを受けるので、不正行為があった後に切断部材を挿抜空間に戻しても、その傷が塞がることがない。
【０１５１】
次に、第３の発明では、不正行為によりキャップが封止基礎部から外されて、切断部材が挿抜空間から抜き出されると、破断部がシール添付部に添付されたシールを削り取って傷をつけるので、不正行為があった後に切断部材を挿抜空間に戻しても、その傷が塞がることがない。すなわち、シールには、修復不能な傷が付けられる。
【０１５２】
したがって、第３の発明では、基板ケースの封印が不正に解かれると、その不正行為に伴ってシールにできる傷を検査者が確実に視認することができるので、検査者は、不正行為があったことを確実に認識することができる。
【０１５３】
また、第３の発明では、基板ケースの封印が不正に解かれると、不正行為があったことが店側に確実に認識され、このことが不正行為者に対する牽制となるので、不正行為を防止することができる。
【０１５４】
さらに第３の発明では、破断部ごとに削取部の形状が異なることから、削り取られた痕跡の形状が異なるので、その形状を判別することで、どのような不正が行われたかを素早く特定することができる。
【０１５５】
尚、第４の発明のように、各破断部は、挿抜方向に対して異なる角度の刃先（６２２，６２３）を有するようにしてもよい。
(他の発明について)
第１の発明は、制御基板収納部(４１，４６)と封止部(５１，５６)とを有する２つのケース部材(４０，４５)を、前記制御基板収納部が制御基板を収納する収納空間を形成するように組み合わせたとき、前記各封止部の間に挿抜空間（５ａ）が形成されるように前記各封止部を対向させて配置することにより前記各封止部によって形成された封止基礎部(５)と、前記挿抜空間に挿抜可能な切断部材(６)と、前記封止部に設けた溝部であって、前記封止基礎部の外側面に設定されたシールの添付予定範囲を通って、前記切断部材が前記挿抜空間に対して挿抜される挿抜方向に沿って形成された溝部（５１２、５６２）と、前記切断部材に設けられた破断部であって、前記切断部材が前記挿抜空間に対して挿抜されるとき前記各溝部を通過し、前記添付予定範囲に添付されたシール（７）を傷つける破断部（６２１，６３１）と、前記封止基礎部に被せて取り付けられる外装部であって、前記封止基礎部に被せられたとき前記挿抜空間に位置する前記切断部材と係合する外装部（８）と、を備え、前記破断部は、前記切断部材が前記挿抜空間から抜き取られるとき、前記溝部を跨いで前記添付予定範囲に貼られた前記シールを削り取ることを特徴とするものである。
【０１５６】
第２の発明は、第１の発明の基板ケースの封止構造において、前記破断部が、前記切断部材が前記挿抜空間から抜き取られるとき前記溝部内を進む進行側に向かって突出した少なくとも２つの先端を有する形状であることを特徴とするものである。
【０１５７】
第３の発明は、第１の発明の基板ケースの封止構造において、前記破断部が、前記切断部材が前記挿抜空間から抜き取られるとき前記溝部内を進む進行側に面する削取面（６２１ｃ）を有することを特徴とするものである。
【０１５８】
第４の発明は、第１〜第３のいずれかの発明の基板ケースの封止構造において、前記溝部は、前記添付予定範囲に貼られる前記シールの予め定められた特定部位が位置する部分を通るように形成されていることを特徴とするものである。
【符号の説明】
【０１５９】
３… 基板ケース（基板ケース）
５… 封止基礎部（封止基礎部）
６… 切断部材（切断部材）
７… 封印シール（シール）
８… キャップ（外装部）
５ａ… 挿抜空間（挿抜空間）
５ｂ… 添付予定範囲（添付予定範囲）
４０，４５… ケース部材（ケース部材）
４１，４６… 制御基板収納部（制御基板収納部）
５１，５６… 封止部（封止部）
５１２，５６２… 溝部（溝部）
６２１，６３１… 破断部（破断部）
６２２，６２３… 刃先（刃先）
【図１】
0005944366.tif 000002
【図２】
0005944366.tif 000003
【図３】
0005944366.tif 000004
【図４】
0005944366.tif 000005
【図５】
0005944366.tif 000006
【図６】
0005944366.tif 000007
【図７】
0005944366.tif 000008
【図８】
0005944366.tif 000009
【図９】
0005944366.tif 000010
【図１０】
0005944366.tif 000011
【図１１】
0005944366.tif 000012
【図１２】
0005944366.tif 000013
【図１３】
0005944366.tif 000014
【図１４】
0005944366.tif 000015
【図１５】
0005944366.tif 000016
【図１６】
0005944366.tif 000017
【図１７】
0005944366.tif 000018
【図１８】
0005944366.tif 000019
【図１９】
0005944366.tif 000020
【図２０】
0005944366.tif 000021
【図２１】
0005944366.tif 000022
【図２２】
0005944366.tif 000023
【図２３】
0005944366.tif 000024
【図２４】
0005944366.tif 000025
【図２５】
0005944366.tif 000026
【図２６】
0005944366.tif 000027
【図２７】
0005944366.tif 000028
【図２８】
0005944366.tif 000029